(57)【要約】【課題】携帯端末で設定した画像処理装置にかかる設定を画像処理装置に同期させ、画像処理装置における操作性を向上する仕組みを提供すること【解決手段】携帯端末は、画像処理にかかる設定を選択し、選択した設定の設定情報を記憶し、当該携帯端末が画像処理装置で読み取られることによって、前記設定情報を前記画像処理装置へ送信する。また、前記画像処理装置は、前記携帯端末を読み取ることによって、前記設定情報を前記携帯端末より受信し、前記設定情報に従って、画像処理にかかる設定項目の設定値を変更する変更し、変更された設定値に従って、画像処理を実行する。【選択図】図５
2014175882.tif 000002
【特許請求の範囲】
【請求項１】
携帯端末と画像処理装置を含む画像処理システムであって、
携帯端末は、
画像処理にかかる設定を選択する選択手段と、
前記選択手段で選択した設定の設定情報を記憶する記憶手段と、
当該携帯端末が画像処理装置で読み取られることによって、前記設定情報を前記画像処理装置へ送信する送信手段と
を備え、
前記画像処理装置は、
前記携帯端末を読み取ることによって、前記設定情報を前記携帯端末より受信する受信手段と、
前記設定情報に従って、画像処理にかかる設定項目の設定値を変更する変更手段と、
前記変更手段で変更された設定値に従って、画像処理を実行する実行手段と
を備えることを特徴とする画像処理システム。
【請求項２】
前記画像処理装置は、
前記変更手段で変更された設定値の設定項目を識別可能に表示する表示手段を更に備えることを特徴とする請求項１に記載の画像処理システム。
【請求項３】
前記表示手段は、前記携帯端末により選択され、前記変更手段で変更した設定値に対応する設定項目と、前記変更手段で変更されていない設定項目とを識別可能に表示することを特徴とする請求項２に記載の画像処理システム。
【請求項４】
前記携帯端末は、入力されたユーザ情報に従って、ログインするログイン手段を更に備え、
前記送信手段は、前記ログイン手段でログインしたことを示すログイン情報を送信し、
前記受信手段は、前記ログイン情報を受信し、
前記表示手段は、前記ログイン情報に従って、携帯端末でログインしたと判定された場合に、前記設定値を変更した設定項目を表示し、携帯端末でログインしたと判定されなかった場合に、前記画像処理装置においてログインさせるべくログイン画面を表示することを特徴とする請求項１又は２に記載の画像処理システム
【請求項５】
前記設定情報は、前記画像処理装置の機能情報を含み、
前記変更手段は、前記機能情報に対応する設定項目の設定値を変更することを特徴とする請求項１乃至３のいずれか１項に記載の画像処理システム。
【請求項６】
前記携帯端末が前記画像処理装置に備える読取部にかざされることに対応して、当該携帯端末と前記画像処理装置との通信を確立し、
前記画像処理装置は、前記携帯端末と当該画像処理装置との間で通信が確立している間、前記携帯端末で選択された設定に対応する当該画像処理装置の設定項目の設定値を変更することを特徴とする請求項１乃至４のいずれか１項に記載の画像処理システム。
【請求項７】
携帯端末と画像処理装置を含む画像処理システムの処理方法であって、
携帯端末が、
画像処理にかかる設定を選択する選択ステップと、
前記選択ステップで選択した設定の設定情報を記憶する記憶ステップと、
当該携帯端末が画像処理装置で読み取られることによって、前記設定情報を前記画像処理装置へ送信する送信ステップとを実行し、
前記画像処理装置が、
前記携帯端末を読み取ることによって、前記設定情報を前記携帯端末より受信する受信ステップと、
前記設定情報に従って、画像処理にかかる設定項目の設定値を変更する変更ステップと、
前記変更ステップで変更された設定値に従って、画像処理を実行する実行ステップとを実行することを特徴とする処理方法。
【請求項８】
携帯端末と画像処理装置を含む画像処理システムのプログラムであって、
携帯端末を、
画像処理にかかる設定を選択する選択手段と、
前記選択手段で選択した設定の設定情報を記憶する記憶手段と、
当該携帯端末が画像処理装置で読み取られることによって、前記設定情報を前記画像処理装置へ送信する送信手段として機能させ、
前記画像処理装置を、
前記携帯端末を読み取ることによって、前記設定情報を前記携帯端末より受信する受信手段と、
前記設定情報に従って、画像処理にかかる設定項目の設定値を変更する変更手段と、
前記変更手段で変更された設定値に従って、画像処理を実行する実行手段として機能させることを特徴とするプログラム。
【発明の詳細な説明】
【技術分野】
【０００１】
画像処理の設定値を変更するための画像処理システムとその処理方法及びプログラム
【背景技術】
【０００２】
企業内のイントラネットに設置されているＭＦＰ（複合機）の中には、ユーザ認証機能が備えられているものがある。ユーザ認証機能は、部外者による不正利用を未然に防止できる効果を持つばかりではなく、ユーザごとの利用状況をモニタしたり、ユーザに権限を与えて使用できる機能を制限したりすることにも役立つ。
【０００３】
ＭＦＰが備えているユーザ認証機能の中には、ＩＣカードを用いるものがある。ユーザごとに配布したＩＣカードを、ユーザがＭＦＰのカードリーダにかざすことにより、ユーザの認証を行う形態であり、ＩＤとパスワードを入力する方式に比べて、入力の際の煩わしさが軽減される、パスワードを盗み見られるリスクが回避できる、ユーザがパスワードを記憶しておく必要がない、といった利点がある。
【０００４】
また、通常ＭＦＰは確認・操作用のユーザインタフェースを備えており、近年では、タッチパネルを通して表示・操作できるようになっている機種も多い。タッチパネル方式の場合、ソフトウェアによって表示するボタンの数や項目を制御することができるので、機体製造時にはなかった項目を増やしたり、認証したユーザごとに表示するボタンをカスタマイズしたりすることが可能になっている。
【０００５】
ＭＦＰは複数人で共有して使用するため、あるユーザがＭＦＰ上で操作している間に、別のユーザがそのＭＦＰの操作を行うことができない、すなわち、ＭＦＰの占有により、ＭＦＰの利用効率が低下してしまうということがある。
そこで、特許文献１のように、ＭＦＰを利用する際に、携帯端末から操作を行えるようにして、ＭＦＰを占有しないようにする仕組みが提案されている。
【先行技術文献】
【特許文献】
【０００６】
【特許文献１】特開２０１２−１７８０８６号公報
【発明の概要】
【発明が解決しようとする課題】
【０００７】
しかしながら、ＭＦＰを利用する際に携帯端末を用いる仕組みでは、携帯端末からすべての操作ができてしまうため、ＭＦＰの近くにいないにもかかわらず印刷指示ができてしまうというセキュリティ上の課題が生まれる。
また、ＭＦＰを利用する時間が長くなると、ＭＦＰを占有する時間が長くなるため、できる限り携帯端末を利用させたいという要望がある。
さらに、近年の携帯端末は、タッチパネルを備え、操作性の観点からもスマートフォン等のスマートデバイスを用いて、操作したいという要望もある。
【０００８】
そこで、本願発明の目的は、携帯端末で設定した画像処理装置にかかる設定を画像処理装置に同期させ、画像処理装置における操作性を向上する仕組みを提供することである。
【０００９】
また、その他の目的としては、携帯端末での認証を利用することで、画像処理装置における操作を効率化する仕組みを提供することである。さらに、携帯端末をかざすことで画像処理実行を可能にすることで、遠隔地からの実行を防止する仕組みを提供する。
【課題を解決するための手段】
【００１０】
本発明の目的を達成するための、携帯端末と画像処理装置を含む画像処理システムであって、携帯端末は、画像処理にかかる設定を選択する選択手段と、前記選択手段で選択した設定の設定情報を記憶する記憶手段と、当該携帯端末が画像処理装置で読み取られることによって、前記設定情報を前記画像処理装置へ送信する送信手段とを備え、前記画像処理装置は、前記携帯端末を読み取ることによって、前記設定情報を前記携帯端末より受信する受信手段と、前記設定情報に従って、画像処理にかかる設定項目の設定値を変更する変更手段と、前記変更手段で変更された設定値に従って、画像処理を実行する実行手段とを備えることを特徴とする。
【発明の効果】
【００１１】
本発明によれば、携帯端末で設定した画像処理装置にかかる設定を画像処理装置に同期させ、画像処理装置における操作性を向上する。
【図面の簡単な説明】
【００１２】
【図１】実施形態の一例を示すシステム構成図である
【図２】携帯端末１００に適用可能な情報処理装置のハードウェア構成を示すブロック図である
【図３】ＭＦＰ１１０のハードウェア構成の一例を示すブロック図である
【図４】画像処理システムにおける機能ブロック図である
【図５】実施形態における全体の流れを説明する処理概要図である
【図６Ａ】携帯端末１００の操作処理のフローチャートである
【図６Ｂ】ＭＦＰ１１０における設定処理のフローチャートである
【図７】携帯端末１００で表示する画面の一例を示すイメージ図である
【図８】ＭＦＰ１１０で表示する画面の一例を示すイメージ図である
【図９】各装置で記憶管理するデータ構成図である
【発明を実施するための形態】
【００１３】
以下、図面を参照して、本発明の実施形態を詳細に説明する。
図１は、本発明の実施形態の一例を示すシステム構成図である。
【００１４】
図１では、１または複数のユーザが保有する１または複数の携帯端末１００と、１または複数のＭＦＰ１１０とが、カードリーダや、近距離無線通信１４０、ネットワーク１５０を介して、通信可能な構成となっている。また、認証サーバ１２０とクライアント端末１３０と通信可能な構成でもある。
【００１５】
携帯端末１００は、通話機能やインターネット接続機能など多様な機能を搭載した情報処理端末であり、本発明に示す用途以外の目的でも使用しうるものである。
【００１６】
ＭＦＰ１１０は、文書の印刷・スキャン・コピー・ＦＡＸなどを行う複数の機能を有する画像処理装置である。ＭＦＰ１１０は、複数のユーザにより共用で使用されるものである。
認証サーバ１２０は、ＭＦＰ１１０やクライアント端末１３０のログインの際に利用される情報処理装置であり、例えば、ディレクトリサーバなどである。
【００１７】
クライアント端末１３０は、ＭＦＰ１１０で印刷する印刷データを生成する情報処理装置であり、プリンタドライバなどのソフトウェアがインストールされている。
【００１８】
なお、不図示ではあるが、印刷データを蓄積しておくためのプリントサーバをネットワーク上に有する構成とし、ＭＦＰ１１０で蓄積する印刷データを保持させる構成であってもよい。
【００１９】
以下、図２を用いて、図１に示した携帯端末１００に適用可能な情報処理装置のハードウェア構成について説明する。
図２は、図１に示した携帯端末１００に適用可能な情報処理装置のハードウェア構成を示すブロック図である。
【００２０】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２１】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２２】
また、入力コントローラ２０５は、キーボード（ＫＢ）２０９や不図示のマウス等のポインティングデバイス等からの入力を制御する。また、ハードキーとしての操作キーからの入力を制御する。
【００２３】
２０６はビデオコントローラで、ディスプレイ（２１０等の表示器への表示を制御する。なお、図２では、液晶ディスプレイ等の他の表示器であってもよい。特に、ディプレイは、タッチパネルになっており、タッチパネルを介して入力された入力値を受け付ける。
【００２４】
メモリコントローラ２０７は、ブートプログラム，各種のアプリケーション，フォントデータ，ユーザファイル，編集ファイル，各種データ等を記憶するハードディスク（ＨＤ）やカードスロットにアダプタを介して接続されるメモリ等の外部メモリ２１１へのアクセスを制御する。
【００２５】
通信Ｉ／Ｆコントローラ２０８は、ネットワーク（例えば、図１に示した無線通信１４０やネットワーク１５０）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２７】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
上記の構成の他、電話回線に接続して、音声通信を行うことが可能な構成を有している。
より詳細に説明すると、携帯端末の全体の動作を制御する制御部を有し、ＲＯＭ２０２に格納されたプログラムに従って動作する。
【００２８】
また、受話部を有し、受話部はスピーカなどであり、制御部から供給されるディジタル音声信号をアナログ音声信号に変換し、スピーカから放音する。また、送話部を有し、送話部はマイクロフォンなどであり、送信対象の音声データを取り込み、ディジタル信号に変換して制御部に供給する。
【００２９】
また、送受信部を有し、ＭＦＰ１１０との間で、アンテナを介して無線ＬＡＮにて通信を行う。なお、ＭＦＰ１１０との通信は、ＷＡＮやＢｌｕｅｔｏｏｔｈ（登録商標）で通信を行うようにしてもよい。また表示部を有し、様々な情報を表示する。
【００３０】
そのほか、ＩＣチップ２１２も有しており、所定の識別情報が書き込まれている。所定の識別情報とは、製造番号や個人を特定する情報などであり、カードリーダで読み込みすることも可能である。また、ＮＦＣの通信規格に対応しており、カードリーダと対応して、データの読み書きが可能となっている。
【００３１】
さらに、ＭＦＰ１１０とペアリングを行い、画像など他のデータを他の通信に引き継ぐことが可能な構成となっている。この技術は、ＮＦＣの通信規格に沿うものとし、詳細な説明を省略する。すなわち、本実施形態での通信は、携帯端末１００をＭＦＰ１１０のカードリーダにかざすことによって、携帯端末１００からＭＦＰ１１０へ所望のデータを送信することが可能である。
【００３２】
次に、図３を用いて、図１に示した、ＭＦＰ１１０のハードウェア構成について説明する。
図３は、図１に示したＭＦＰ１１０のハードウェア構成の一例を示すブロック図である。
【００３３】
図３において、３１６はコントローラユニットで、画像入力デバイスとして機能するスキャナ３１４や、画像出力デバイスとして機能するプリンタ３１２と接続する一方、ＬＡＮ（例えば、図１に示したネットワーク１５０）や公衆回線（ＷＡＮ）（例えば、ＰＳＴＮまたはＩＳＤＮ等）と接続することで、画像データやデバイス情報の入出力を行う。
【００３４】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３５】
３０３はＲＯＭで、システムのブートプログラムや各種制御プログラムが格納されている。３０４は外部記憶装置（ハードディスクドライブ（ＨＤＤ））で、システムを制御するための各種プログラム，画像データ等を格納する。
【００３６】
３０７は操作部インタフェース（操作部Ｉ／Ｆ）で、操作部（ＵＩ）３０８とのインタフェース部であり、操作部３０８に表示する画像データを操作部３０８に対して出力する。また、操作部Ｉ／Ｆ３０７は、操作部３０８から本システム使用者が入力した情報（例えば、ユーザ情報等）をＣＰＵ３０１に伝える役割をする。なお、操作部３０８はタッチパネルを有する表示部を備え、該表示部に表示されたボタンを、ユーザが押下（指等でタッチ）することにより、各種指示を行うことができる。
【００３７】
３０５はネットワークインタフェース（Ｎｅｔｗｏｒｋ  Ｉ／Ｆ）で、ネットワーク（ＬＡＮ）に接続し、データの入出力を行う。また、無線通信も可能な構成となっており、赤外線やＢｌｕｅｔｏｏｔ（登録商標）、Ｗｉ−Ｆｉ（登録商標）を用いた通信にて他の装置と接続する。３０６はモデム（ＭＯＤＥＭ）で、公衆回線に接続し、ＦＡＸの送受信等のデータの入出力を行う。
【００３８】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となるＩＣカードの読み取り用のカードリーダ３１９が外部Ｉ／Ｆ部３１８に接続されている。そして、ＣＰＵ３０１は、この外部Ｉ／Ｆ３１８を介してカードリーダ３１９によるＩＣカードからの情報読み取りを制御し、該ＩＣカードから読み取られた情報を取得可能である。尚、ＩＣカードに限らず、ユーザを特定することが可能な記憶媒体であればよい。この場合、記憶媒体にはユーザを識別するための識別情報が記憶される。この識別情報は、記憶媒体の製造番号でも、ユーザが企業内で与えられるユーザコードであってもよい。
以上のデバイスがシステムバス３０９上に配置される。
【００３９】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
画像バス３１５は、ＰＣＩバスまたはＩＥＥＥ１３９４で構成される。画像バス３１５上には以下のデバイスが配置される。
【００４０】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００４１】
３１７は画像処理部で、入力画像データに対し補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００４２】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００４３】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００４４】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４５】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００４６】
カードリーダ３１９は、ＣＰＵ３０１からの制御により、ＩＣカード（例えば、ソニー社のフェリカ（ＦｅｌｉＣａ）（登録商標））内に記憶されている情報を読み取り、該読み取った情報を外部Ｉ／Ｆ３１８を介してＣＰＵ３０１へ通知する。なお、カードリードはＮＦＣの通信規格に対応しており、携帯端末１００のＩＣチップへの読み書きを行うことが可能な構成となっている。また、ＮＦＣ対応のカードリーダで携帯端末１００のＩＣチップを読み取ると携帯端末１００とＭＦＰ１１０とのペアリングを行い、かざされた携帯端末１００とＭＦＰ１１０で通信を確立してデータの通信が行える構成となる。
【００４７】
上述したＭＦＰ１１０では、ＭＦＰ１１０を制御するためのプラットフォームが存在し、このプラットフォーム上で、認証サーバと通信するための認証アプリケーションが動作している。認証アプリケーションはＨＤＤ３０４に記憶されている。プラットフォームが管理する、ログイン時にユーザ情報を格納するログインコンテキストや、各種設定情報は、ＨＤＤ３０４上に領域が確保されている。
【００４８】
また、プラットフォーム上には、ＭＦＰ１１０の本体機能を拡張したアプリケーションがインストールされ、動作している。これらアプリケーションは、プラットフォームのＡＰＩを用いて実行される。
このプラットフォームを介して、プリンタの各機能を制御することが可能な構成となっている。
【００４９】
また、ＭＦＰ１１０には、Ｗｅｂブラウザも記憶されており、Ｗｅｂシステムと連携することも可能である。この場合、Ｗｅｂアプリケーションサーバから受信した画面をＷｅｂブラウザを用いて表示する。Ｗｅｂブラウザ上で指示した命令は、Ｗｅｂアプリケーションサーバへ要求がなされ、Ｗｅｂアプリケーションサーバからの命令を受け付けることによって、ＭＦＰ１１０により動作（スキャンやプリント処理）を実行することが可能である。
【００５０】
以上のような構成によって、ＭＦＰ１１０は、スキャナ３１４から読み込んだ画像データをネットワーク上に送信したり、ネットワークから受信した印刷データをプリンタ部３１２により印刷出力することができる。
【００５１】
また、スキャナ３１４から読み込んだ画像データをモデム３０６により、公衆回線上にＦＡＸ送信したり、公衆回線からＦＡＸ受信した画像データをプリンタ部３１２により出力することできる。
【００５２】
次に、図４を用いて、本発明の情報処理装置としての携帯端末１００、ＭＦＰ１１０（画像処理装置）を含む画像処理システムにおける機能ブロック図について説明する。尚、各機能ブロックが処理する詳細な制御については、後述するフローチャートにて説明する。
【００５３】
まず携帯端末１００の機能部について説明する。
選択部４０１は、画像処理にかかる設定を選択する機能部である。記憶部４０２は、前記選択部４０１で選択した設定の設定情報をメモリに記憶制御する機能部である。
【００５４】
送信部４０３は、当該携帯端末１００がＭＦＰ１１０で読み取られることによって、前記設定情報を前記ＭＦＰ１１０へ送信する機能部である。また、後述のログイン部４０４でログインしたことを示すログイン情報を送信する機能部である。
ログイン部４０４は、入力されたユーザ情報に従って、ログインする機能部である。
【００５５】
次にＭＦＰ１１０の機能部について説明する。
受信部４０５は、前記携帯端末１００を読み取ることによって、前記設定情報を前記携帯端末１００より受信する機能部である。また、ログイン情報を受信する機能部である。
【００５６】
変更部４０６は、前記設定情報に従って、画像処理にかかる設定項目の設定値を変更する機能部である。設定情報は、前記ＭＦＰ１１０の機能情報を含んでおり、変更部４０６は、前記機能情報に対応する設定項目の設定値を変更する機能部である。
実行部４０７は、変更部４０６で変更された設定値に従って、画像処理を実行する機能部である。
【００５７】
表示部４０８は、変更部４０６で変更された設定値の設定項目を識別可能に表示する機能部である。また、前記携帯端末１００により選択され、前記変更部４０６で変更した設定値に対応する設定項目と、前記変更部４０６で変更されていない設定項目とを識別可能に表示する機能部である。さらに、前記ログイン情報に従って、携帯端末１００でログインしたと判定された場合に、前記設定値を変更した設定項目を表示し、携帯端末１００でログインしたと判定されなかった場合に、前記ＭＦＰ１１０においてログインさせるべくログイン画面を表示する機能部である。
【００５８】
前記携帯端末１００が前記ＭＦＰ１１０に備える読取部（例えばカードリーダ）にかざされることに対応して、当該携帯端末１００と前記ＭＦＰ１１０との通信を確立し、前記ＭＦＰ１１０は、前記携帯端末１００と当該ＭＦＰ１１０との間で通信が確立している間、前記携帯端末１００で選択された設定に対応する当該ＭＦＰ１１０の設定項目の設定値を変更する。
次に、図５を用いて、本実施形態における全体の流れを説明する。図５は、実施形態における全体の流れを説明する処理概要図である。
【００５９】
まず、ユーザはＭＦＰ１１０にアクセスすることなく、携帯端末１００に対しての操作を行うことができる。５０１では、携帯端末の認証機能、あるいは携帯端末のアプリケーションを用いてログインする。５０２では、ユーザにより、携帯端末のアプリケーション（例えば、プリントアプリケーション）を操作する。認証から操作による携帯端末１００における処理については、後述の図６Ａにおいて詳述する。
【００６０】
また、ユーザにより携帯端末１００がＭＦＰ１１０のカードリーダにかざされる（５１１）と、携帯端末１００とＭＦＰ１１０との間でペアリングを行い、通信を確立する。その通信において、携帯端末１００からＭＦＰ１１０に対して、機体ＩＤ（５２１）、ログイン情報（５２２）、機能ＩＤや入力済設定情報（５２３）等の情報を送信する。ＭＦＰ１１０では、機体ＩＤ（５２１）、ログイン情報（５２２）、機能ＩＤや入力済設定情報（５２３）等の情報を受信し、設定情報を用いて、ＭＦＰ１１０における設定を自動的に行い、ユーザはＭＦＰ１１０の表示部で設定を確認して、印刷実行指示を行う。この処理については、後述の図６Ｂにおいて詳述する。
【００６１】
次に、各装置が行う制御について、図６から図９を用いて、詳細に説明する。なお、図６Ａ、図６Ｂは、詳細な処理を説明するフローチャートである。図７は、携帯端末１００で表示する画面の一例であり、図８は、ＭＦＰ１１０で表示する画面の一例である。また、図９は、各装置で記憶管理するデータ構成図である。
図６Ａを用いて、携帯端末１００におけるユーザからの操作時の処理について説明する。図６Ａは、携帯端末１００の操作処理のフローチャートである。
【００６２】
Ｓ６０１では、携帯端末１００のＣＰＵ２０１が、ユーザによる利用開始時に必ず、ユーザに認証を促す内容を表示する。認証の方式がパスワード認証によるものであった場合、図７の７０１に示すような内容を表示する。なお、この認証機能は、携帯端末１００の本体機能の認証であっても、ＭＦＰ１１０と連携するアプリケーションの認証機能であってもよい。
Ｓ６０２では、携帯端末１００のＣＰＵ２０１が、ユーザから入力された認証情報を取得する。
【００６３】
Ｓ６０３では、携帯端末１００のＣＰＵ２０１は、取得した認証情報と、携帯端末１００の外部メモリ２１１に記録された認証情報との照合を実施する。図９の９０１では、外部メモリ２１１に記録された認証情報の一例を示している。
【００６４】
Ｓ６０４では、携帯端末１００のＣＰＵ２０１が、Ｓ６０３の照合の結果、取得した認証情報と外部メモリ２１１に記録された認証情報が一致するかどうかを判定する。両者の認証情報が一致すると判定された場合には、Ｓ６０６に処理を進め、そうでない場合には、Ｓ６０５に処理を進める。すなわち、入力されたユーザ情報に従って、ログインする処理である。
【００６５】
Ｓ６０５では、携帯端末１００のＣＰＵ２０１が、認証に失敗した旨の内容を一定時間表示する。一例として、図７の７０２に示すような内容を表示する。携帯端末１００のＣＰＵ２０１は、一定時間経過後には、再度Ｓ６０１に処理を進める。
【００６６】
Ｓ６０６では、携帯端末１００のＣＰＵ２０１が、携帯端末のＲＡＭ２０３に、ログイン情報を記憶させる。より具体的には、携帯端末のＲＡＭ２０３には、図９の９１１に示すようなテーブルを記憶しており、その中の「ログイン情報」項目の値を「ＦＡＬＳＥ」から「ＴＲＵＥ」に変更することによって、ログイン情報を記憶させる。
【００６７】
Ｓ６０７では、携帯端末１００のＣＰＵ２０１が、携帯端末本体のメニュー画面を表示する。一例として、図７の７０３に示すような内容を表示する。携帯端末１００では、ユーザが利用できる機能ごとにアプリケーションという単位でまとめられており、メニュー画面は、ユーザが選択可能なアプリケーションが選択可能に表示される。なお、上述したように、アプリケーションの認証の場合には、Ｓ６０８でＭＦＰ連携アプリケーションが選択され、ユーザ認証されると、Ｓ６１０からの処理がスタートするものとする。
【００６８】
Ｓ６０８では、携帯端末１００のＣＰＵ２０１が、ユーザによるＭＦＰ連携アプリケーションの選択要求を受け付ける。なお、ＭＦＰ連携アプリケーションは印刷指示などのＭＦＰ１１０の動作実行指示は、カードリーダ３１９にかざすまで指示できないようになっている。
【００６９】
Ｓ６０９では、携帯端末１００のＣＰＵ２０１は、ＭＦＰ連携アプリケーションのメニュー画面を表示する。一例として、図７の７０４に示すような内容を表示する。このように、ユーザに使用したいＭＦＰの機能を選択できるように表示されている。なお、ここで表示される機能には、それぞれ機能ＩＤと呼ぶ機能ごとに固有のＩＤが紐づけられている。また、機能ごとの固有のＩＤは、ＭＦＰ１１０の各機能と対応付いて管理されており、機能ＩＤによってＭＦＰ１１０の機能が特定される。
【００７０】
Ｓ６１０では、携帯端末１００のＣＰＵ２０１が、ユーザの操作によって、特定（所望）の機能の選択要求を受け付ける。すなわち、画像処理にかかる設定を選択する選択処理である。
【００７１】
Ｓ６１１では、携帯端末１００のＣＰＵ２０１が、携帯端末のＲＡＭ２０３に、選択された機能の機能ＩＤを記憶させる。より具体的には、図９の９１１に示す携帯端末のＲＡＭ２０３に記憶されたテーブルにおいて、「選択済機能ＩＤ」項目の値を「ＮＯＮＥ」から特定の機能に紐づいた機能ＩＤに変更することによって、機能ＩＤを記憶させる。例えば、「ＰＲＩＮＴ」に変更する。すなわち、選択した設定の設定情報を記憶制御する処理である。
【００７２】
Ｓ６１２では、携帯端末１００のＣＰＵ２０１が、選択された機能の設定画面を表示する。一例として、図７の７０５に示すような内容を表示する。このようにＭＦＰの機種に依存しない項目について、設定を変更できる内容となっているが、事前に、ＭＦＰ１１０の機種を選択して、その機種に依存する設定を変更できるように構成することも可能である。
Ｓ６１３では、携帯端末１００のＣＰＵ２０１が、ユーザの操作により、各設定情報の変更要求を受け付ける。
【００７３】
Ｓ６１４では、携帯端末１００のＣＰＵ２０１が、携帯端末のＲＡＭ２０３に、変更された設定情報を記憶させる。より具体的には、図９の９１１に示す携帯端末のＲＡＭ２０３に記憶されたテーブルにおいて、各設定項目の値を変更された情報を表す値に変更することによって、記憶させる。７０５の例を説明すると、ファイル７０６は、印刷するファイルが選択されていない状態を示しており、この設定が９１２に保存される。カラーモード７０７は、カラーが選択されている状態を示しており、この設定が９１３に保存される。用紙７０８は、Ａ４が設定されている状態を示しており、この設定が９１４に保存される。倍率７０９は、７０％が設定されている状態を示しており、この設定が９１３に保存される。レイアウト７１０は、２ｉｎ１が設定されている状態を示しており、この設定が９１７に保存される。印刷方法７１１は、片面が設定されている状態を示しており、この設定が９１８に保存される。その他の設定項目も設けており、例えば、部数の設定が９１６に保存されている。
【００７４】
なお、選択された機能や設定の記憶のさせ方については、図９の９１１に限る必要はない。例えば、アプリケーションで選択したボタンに、ＭＦＰ１１０で管理している機能ＩＤと設定項目ＩＤを記憶させておき、ユーザからの選択による設定に応じて、機能ＩＤあるいは、設定項目ＩＤとその値（設定内容）をＲＡＭ２０３に記憶させる構成であってもよい。
【００７５】
Ｓ６１５では、携帯端末１００のＣＰＵ２０１が、常時、ユーザによるログオフ要求を受け付けており、ユーザによるログオフ要求があったかどうかを判定している。ユーザによるログオフ要求があったと判定された場合には、Ｓ６０１に処理を進め、そうでない場合には、Ｓ６１２に処理を進める。
【００７６】
次に、図６Ｂを用いて、ＭＦＰ１１０における設定処理について説明する。図６Ｂは、ＭＦＰ１１０における設定処理のフローチャートである。
【００７７】
Ｓ６５１では、ＭＦＰ１１０のカードリーダは、携帯端末１００のＩＣカードが受信可能な微弱電波を常時送信する。この段階において、ＭＦＰ１１０のＣＰＵ３０１は、ユーザに携帯端末をＩＣカードリーダにかざすことを促す内容の画面を表示する。一例として、図８の８０１に示すような内容を表示する。
【００７８】
Ｓ６５２では、携帯端末１００により、ＭＦＰ１１０のカードリーダが送信する微弱電波を検知し、カードリーダとの間に非接触型ＩＣカードの通信（例えばＮＦＣの通信規格を用いた通信）を確立し、ＩＣカード自体が記憶している機体ＩＤを送り返す。なお、携帯端末１００のＩＣカードは、ユーザが携帯端末１００をＭＦＰ１１０のカードリーダにかざすことで初めて、ＭＦＰ１１０のカードリーダが送信する微弱電波を検知できる。
【００７９】
Ｓ６５３では、ＭＦＰ１１０のカードリーダは、携帯端末１００のＩＣカードが送信した機体ＩＤの情報を受信し、ＭＦＰ１１０のＣＰＵ３０１にその情報を伝達する。すなわち、携帯端末１００のＩＣカードから機体ＩＤ等の識別情報を読み出し、受け取る。
【００８０】
Ｓ６５４では、ＭＦＰ１１０のＣＰＵ３０１が、取得した機体ＩＤが、ＭＦＰ１１０のＨＤＤ３０４に記憶された機体ＩＤのリストに存在するかどうかを判定する。存在すると判定された場合には、Ｓ６５６に処理を進め、そうでない場合には、Ｓ６５５に処理を進める。図９の９２１では、ＨＤＤ３０４に記録された機体ＩＤのリストの一例を示している。
【００８１】
Ｓ６５５では、ＭＦＰ１１０のＣＰＵ３０１が、認証に失敗した旨の内容を一定時間表示する。一例として、図８の８０２に示すような内容を表示する。ＭＦＰ１１０のＣＰＵ３０１は、一定時間経過後には、再度Ｓ６５１に処理を進める。
【００８２】
Ｓ６５６では、ＭＦＰ１１０のＣＰＵ３０１が、Ｓ６５４で一致した機体ＩＤに紐づけられたユーザＩＤとパスワードを図９の９２１のようなテーブルから取得し、ＭＦＰ１１０のＲＡＭ３０２に記憶させる。なお、ＮＦＣの通信規格を利用し、ＭＦＰ１１０と携帯端末１００の通信を確立させ、携帯端末１００で認証されたユーザのユーザＩＤとパスワードを受信して、記憶させてもよい。すなわち、携帯端末１００がＭＦＰ１１０に備える読取部にかざされることに対応して、当該携帯端末１００とＭＦＰ１１０との通信を確立する処理である。本実施形態では、携帯端末１００とＭＦＰ１１０を例えば、Ｐ２Ｐで通信を確立することを前提としているが、ＮＦＣの通信規格を利用し、ＭＦＰ１１０からＩＰアドレスを携帯端末１００が取得し、ＴＣＰ／ＩＰ通信を行ってもよい。
【００８３】
Ｓ６５７では、ＭＦＰ１１０のＣＰＵ３０１が、携帯端末１００との間に確立した無線通信を用いて、携帯端末１００に対して、携帯端末１００でユーザ認証済みであるか、またＭＦＰ連携アプリケーションで操作した機能や設定等の状態情報（９１１）の送付要求を送信する。
【００８４】
Ｓ６５８では、携帯端末１００のＣＰＵ２０１が、携帯端末１００のＲＡＭ２０３から携帯端末１００の状態情報を取得し、ＭＦＰ１１０に対して送信する。なお、携帯端末１００の状態情報とは、図９の９１１で示すテーブルの内容を指す。図６Ａで説明した通り、この状態情報には、ユーザが携帯端末１００に対して入力した最新の情報（ログイン状態、携帯端末１００で選択した設定値等）が反映されている。すなわち、携帯端末１００がＭＦＰ１１０で読み取られることによって、設定情報をＭＦＰ１１０へ送信する処理である。また、ログインしたことを示すログイン情報、機能情報、画像処理の設定を送信する処理である。
【００８５】
Ｓ６５９では、ＭＦＰ１１０のＣＰＵ３０１が、携帯端末１００から送信された状態情報を受信する。すなわち、携帯端末１００を読み取ることによって、設定情報を携帯端末１００より受信する処理である。また、ログイン情報を受信する処理である。
【００８６】
Ｓ６６０では、ＭＦＰ１１０のＣＰＵ３０１が、取得した状態情報の「ログイン情報」の項目から、携帯端末１００がログイン状態にあるかどうかを判定する。「ログイン情報」の値が「ＴＲＵＥ」であったとき、つまり、携帯端末１００がログイン状態にあると判定された場合には、Ｓ６６４に処理を進め、そうでない場合には、Ｓ６６１に処理を進める。
【００８７】
これにより、携帯端末１００でログイン処理がされているため、ＭＦＰ１１０で重複した認証処理を省くことができ、ＭＦＰ１１０の操作を効率化することができる。
【００８８】
Ｓ６６１では、携帯端末１００でログインしていないためＭＦＰ１１０でユーザ情報を入力させるべく、ＭＦＰ１１０のＣＰＵ３０１が、パスワードの入力を促す内容の画面を表示する。一例として、図８の８０３に示すような内容を表示する。なお、Ｓ６５６で、ユーザＩＤは記憶されているため、パスワードのみを入力させるように構成しているが、ユーザＩＤとパスワードの両方を入力させるように構成してもよい。すなわち、携帯端末１００でログインしたと判定されなかった場合に、ＭＦＰ１１０においてログインさせるべくログイン画面を表示する処理である。
Ｓ６６２では、ＭＦＰ１１０のＣＰＵ３０１が、ユーザから入力されたパスワードを取得する。
【００８９】
Ｓ６６３では、ＭＦＰ１１０のＣＰＵ３０１が、取得したパスワードとＳ６５６で記憶したパスワードの照合を行い、両者が一致するかどうかを判定する。一致すると判定された場合には、Ｓ６６４に処理を進め、そうでない場合には、Ｓ６５５に処理を進める。
【００９０】
Ｓ６６４では、ＭＦＰ１１０のＣＰＵ３０１が、Ｓ６５９で取得した状態情報の「選択済機能ＩＤ」の項目を参照し、携帯端末１００のＭＦＰ連携アプリケーションにおいて、特定の機能が選択された状態にあるかどうかを判定する。「選択済機能ＩＤ」の値が「ＮＯＮＥ」以外であったとき、つまり、携帯端末１００のＭＦＰ連携アプリケーションにおいて、特定の機能が選択された状態にあると判定された場合には、Ｓ６６６に処理を進め、そうでない場合には、Ｓ６６５に処理を進める。
【００９１】
Ｓ６６５では、ＭＦＰ１１０のＣＰＵ３０１が、ＭＦＰで利用できる各種操作を選択することのできるデフォルトのメニュー画面を表示する。一例として、図８の８０４に示すような内容を表示する。
【００９２】
Ｓ６６６では、ＭＦＰ１１０のＣＰＵ３０１が、Ｓ６５９で取得した状態情報の「選択済機能ＩＤ」の項目を参照し、その値として取得できる機能ＩＤに対応する機能の設定画面を表示する。すなわち、ＭＦＰ１１０の機能ごとに機能ＩＤを管理しており、機能ＩＤが一致した設定画面を表示する。一例として、プリント機能を選択した場合には、図８の８０５に示すような内容を表示する。なお、ＭＦＰ１１０の設定画面では、携帯端末のＭＦＰ連携アプリケーションの設定画面では表示されないような、ＭＦＰの機種依存の設定についても表示されてもよい。
【００９３】
Ｓ６６７では、ＭＦＰ１１０のＣＰＵ３０１が、Ｓ６５９で取得した状態情報の「設定情報」の項目（９１３〜９１８に対応する設定情報）を参照し、携帯端末１００のＭＦＰ連携アプリケーションでユーザにより入力された設定情報があるかどうかを判定する。ユーザにより入力された設定情報があると判定された場合には、Ｓ６６９に処理を進め、そうでない場合には、Ｓ６６８に処理を進める。
Ｓ６６８では、ＭＦＰ１１０のＣＰＵ３０１が、各設定項目の設定値として、ＭＦＰ１１０で管理しているデフォルトの値を設定して表示する。
【００９４】
Ｓ６６９では、ＭＦＰ１１０のＣＰＵ３０１が、各設定項目の設定値にユーザにより入力された設定情報を設定して表示する。具体的には、項目名や不図示の項目ＩＤが一致する設定項目に対して、設定情報を反映させる。例えば、図８の８０５に示す内容がデフォルトの設定である場合、ＭＦＰ連携アプリケーションで「倍率」「用紙」「仕上がり」の設定が変更された画面（図８の８０６）が表示される。すなわち、設定情報に従って、画像処理にかかる設定項目の設定値を変更する処理である。また、ログイン情報に従って、携帯端末１００でログインしたと判定された場合に、設定値を変更した設定項目を表示する処理である。
【００９５】
また、携帯端末１００でのＭＦＰ連携アプリケーションでの設定から引き継がれて設定された項目（アイコン）については、８０７のように、携帯端末１００から変更されたことが識別できるように表示する。すなわち、変更された設定値の設定項目を識別可能に表示する処理である。また、携帯端末１００により選択され、変更した設定値に対応する設定項目（倍率、用紙、仕上がり）と、前記変更手段で変更されていない設定項目（カラー、部数、印刷方法、濃度、その他）とを識別可能に表示する。
【００９６】
また、ＭＦＰ１１０にてユーザの操作によって設定変更された場合には、携帯端末１００から変更された項目とは異なるように識別表示させる。さらに、携帯端末１００から変更され、その後ＭＦＰ１１０で変更された項目については、携帯端末から変更されたことが識別できる表示から、ＭＦＰ１１０で変更されたことを識別できる表示に変更する。
【００９７】
なお、８０６の表示後、ユーザの操作によってメニュー画面に戻った場合には、携帯端末１００のＭＦＰ連携アプリケーションにおいて設定し、ＭＦＰ１１０で設定が反映された機能のアイコン（ボタン）については、設定が反映されていることをユーザに識別させるため色又は別のアイコンで表示する（８０７と同様の識別であってもよい）。
【００９８】
Ｓ６６９で設定が反映されると、ＭＦＰ１１０から携帯端末１００に対して、設定が反映されたことを通知する。そして、携帯端末１００のＣＰＵ２０１がＭＦＰ連携アプリケーションのＭＦＰ動作実行指示ボタン（印刷ボタン／アイコン）を指示可能（Ｅｎａｂｌｅ）にする。
【００９９】
また、携帯端末１００は、ＭＦＰ１１０と所定距離れると通信が切断されると、ＭＦＰ動作実行指示ボタン（印刷ボタン／アイコン）を指示不可能（Ｄｉｓａｂｌｅ）にする。すなわち、携帯端末１００とＭＦＰ１１０との間で通信が確立している間、前記携帯端末１００で選択された設定に対応する当該ＭＦＰ１１０の設定項目の設定値を変更する。また、切断する、或いはＭＦＰ１１０に対して所定時間操作がない場合には、設定をデフォルト値に変更する。
【０１００】
そして、ユーザの操作に応じて、ＭＦＰ１１０は設定された設定値にしたがって、所定の画像処理（印刷やスキャン）を実行する。すなわち、変更された設定値に従って、画像処理を実行する処理である。
【０１０１】
以上、本実施形態について説明したが、本実施形態によれば、携帯端末で設定した画像処理装置にかかる設定を画像処理装置に同期させ、画像処理装置における操作性を向上することができる。
【０１０２】
また、携帯端末での認証を利用することで、画像処理装置における操作を効率化できる。さらに、携帯端末をかざすことで画像処理実行を可能にすることで、遠隔地からの実行を防止することができる。
【０１０３】
その他、画像処理装置に対する処理内容の設定を、携帯端末を用いて行う際に、携帯端末のアプリケーションと画像処理装置のユーザインタフェースとの間でスムーズな連携を実現し、ユーザにとって不要な操作を省略することができる。
【０１０４】
また、ユーザが携帯端末を紛失し、拾った悪意のある人が携帯端末を利用して画像処理装置の使用を試みても携帯端末自体のログインを行うことができないため、画像処理装置を使用することができない。すなわち、従来以上にセキュリティを高めた画像処理装置の利用を行うことが可能となる。
なお、上述した各種データの構成及びその内容はこれに限定されるものではなく、用途や目的に応じて、様々な構成や内容で構成されることは言うまでもない。
【０１０５】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１０６】
また、本発明におけるプログラムは、図６Ａ、図６Ｂに示すフローチャートの処理方法をコンピュータが実行可能なプログラムであり、本発明の記憶媒体は図６Ａ、図６Ｂの処理方法をコンピュータが実行可能なプログラムが記憶されている。なお、本発明におけるプログラムは図６Ａ、図６Ｂの各装置の処理方法ごとのプログラムであってもよい。
【０１０７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１０８】
この場合、記録媒体から読み出されたプログラム自体が本発明の新規な機能を実現することになり、そのプログラムを記憶した記録媒体は本発明を構成することになる。
【０１０９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１１０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１３】
さらに、本発明を達成するためのプログラムをネットワーク上のサーバ、データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１１４】
１００  携帯端末
１１０  ＭＦＰ
１２０  認証サーバ
１３０  クライアント端末
１４０  無線通信
１５０  ネットワーク
【図１】
2014175882.tif 000003
【図２】
2014175882.tif 000004
【図３】
2014175882.tif 000005
【図４】
2014175882.tif 000006
【図５】
2014175882.tif 000007
【図６Ａ】
2014175882.tif 000008
【図６Ｂ】
2014175882.tif 000009
【図７】
2014175882.tif 000010
【図８】
2014175882.tif 000011
【図９】
2014175882.tif 000012